(57)【要約】【課題】  納豆パックの蓋を開ける時、蓋の溶着部から開けるが、溶着された本体と蓋が密着しているため、無理に開けると、蓋あるいは本体を破ってしまうことがあった。【解決手段】カッター本体１のカッターの案内溝２の案内溝底部１０に、カッターの刃３を設けた構造となっているため、納豆パック本体６の納豆パックの折り返し部５を納豆パックの案内溝２に沿ってスライドさせ切断することにより、納豆パックの折り返し部５側から納豆パックを開けることが出来、容易に納豆パックの溶着部７を剥がすことが出来、かつ納豆パックの蓋８も取り外す事ができる。さらに、カッターの案内溝２の底部にカッターの刃３を設けているため、カッターの案内溝２周辺部がガードとなり、指が刃に当たりづらくなるので安全に切断する事ができる。【選択図】    図５
2018117863.tif 000002
【特許請求の範囲】
【請求項１】
主に納豆パックの蓋の折り返し部分を切り離すカッターであって、本体の側面に納豆パックの蓋の折り返し部分を差し込んだ状態でスライドできる幅４〜１０mm、深さ３〜６．９mmの溝を設け、スライドさせることにより納豆パックの蓋の折り返し部分が切断される様に、溝の底部に垂直に、かつ刃の幅方向をスライド方向と平行に、かつ刃先が溝の開口部より２ｍｍ〜５ｍｍ低い位置になるようにカッターの刃を設け、本体の外形寸法をスライド方向３０〜１００ｍｍ、厚さ１０〜３０ｍｍとし、全体が手のひらに収まる大きさとした事を特徴とする納豆パックカッター。
【請求項２】
案内溝横断面の形状は、略U字形あるいは略V字形としたことを特徴とする請求項１のカッター。
【請求項３】
刃の形状は、片刃、山形の両刃あるいは円形刃としたことを特徴とする請求項１又は請求項２のカッター。
【請求項４】
本体の外面部にマグネットを設けたことを特徴とする請求項１又は請求項２又は請求項３のカッター。
【請求項５】
本体の外形を略三角形とし、三角形の一辺に略U字形の案内溝を、もう一辺には略V字形の案内溝を設けたことを特徴とする請求項１又は請求項２又は請求項３又は請求項４のカッター。
【発明の詳細な説明】
【技術分野】
【０００１】
本発明は、主に納豆パックの蓋の折り返し部分を切り離すカッターに関するものである。
【背景技術】
【０００２】
従来、書籍に被着したシュリンク包装フィルムを切るあるいは牛乳パックや段ボール等の紙製容器の解体用などとして、各種のカッターが考案されているが納豆パックの蓋の折り返し部分を切り離す専用の安全なカッターは無かった。
いずれも、書籍挿入を容易にするための構造、あるいは容器の角９０度前後を挟むガイドのため、ガイドが広く開き刃が外に出ている構造である為、納豆パックの蓋の折り返し部分を切り離す作業に於いて手を傷付ける可能性があり、安全上に問題があった。
【０００３】
“本シュリンク包装カッター”は、本の厚さがまちまちなので、ガイド幅は可変でなくてはならず、幅の可変装置を必要とするため、手に収まる小形には出来ない。
（特許文献１参照）
【０００４】
“紙パックオープナー”は、カッターの刃がカッター上面と平行であり、納豆パックの蓋の折り返し部分を切り離す作業は出来ない。
（特許文献２）
【０００５】
“容器解体カッター”は、ガイドの開き角度が大きく、納豆パックの折り返し部分を正確に切り開くことは、困難である。
（意匠文献１参照）
【先行技術文献】
【特許文献】
【０００６】
【特許文献１】特開２００８−２２９７２７号公報
【特許文献２】特開２００２−３４７８９１号公報
【０００７】
【特許文献３】意匠登録第１３５６１５５号公報
【発明の概要】
【発明が解決しようとする課題】
【０００８】
一般的な納豆パックは、容器本体と蓋とが一体になって成形されており、本体と蓋とのつなぎ部分が折り返されており、蓋先端部は、本体に溶着されている。
通常、その先端部から手で蓋をこじ開けるのであるが、蓋が密着しているため蓋を開けづらいという問題点があり、無理に開けようとすると、蓋や本体が破れてしまう欠点があった。
さらに、蓋を開けた状態にしておくと、開いた蓋が納豆攪拌時およびご飯への納豆盛り付け時に邪魔になる。そのため、蓋を取り外すのであるが、蓋を取り外す手間がかかり、切り取る煩わしさがあつた。
【０００９】
先行技術では、書籍を入れるため、あるいは牛乳パックなど９０度前後の稜線部を切るため、ガイドが広く開き、刃がむき出しになっていたので、納豆パックを切る場合に、指を切る危険性があった。
（特許文献１、特許文献２および意匠文献１参照）
【００１０】
先行技術では、カッターのガイドの開き角度が大きく（略９０度を超える）、納豆パックの折り返し部分を的確にまっすぐ切ることは出来ない。
（特許文献１、特許文献２および意匠文献１参照）
【課題を解決するための手段】
【００１１】
本発明は外周スライド部に設けたカッターの案内溝の底部に垂直に外向きに、かつ刃の幅方向をスライド方向と平行に、かつ刃先が溝の開口部より２ｍｍ〜５ｍｍ低い位置になるようにカッターの刃を設けた事を特徴とする納豆パックカッターである（図１、図２参照）。
また、本体の外面部にマグネットを設けたものも含む。
納豆パックの折り返し部分を案内溝に入れ、案内溝に沿ってスライドさせることにより、簡単に納豆パックの蓋の折り返し部分を切断出来る構造となっている。
また、納豆パックの折り返し部分は、コの字形で幅のあるものと、折り返しただけの幅の狭いものがあるため、溝の断面形状は略U字形あるいは略V字形となっている。
【発明の効果】
【００１２】
本発明は以上の構造となっているので納豆パックの折り返し部分を容易に切り離事が出来、かつ簡単に蓋の溶着部を剥がすことが出来るので蓋や本体の破れを防止できる効果がある。
【００１３】
蓋が本体から外れるため、蓋がついている邪魔な状態が無くなり、かつ折り返し部分を後から切り離す煩わしさもなくなるという効果がある。
【００１４】
カッターの刃が案内溝底部にあり、刃先が溝の開口部より２ｍｍ以上低い位置にあるので溝外周部がガードし、指に刃が当たりにくく、安全に納豆パックの蓋の折り返し部分を切断できるという効果がある。
【００１５】
マグネットが付いていると磁力により冷蔵庫の表面部の塗装鋼板に容易に磁着させる事が出来るので、納豆パックを取り出した時に、即座に本発明品を手に取る事が出来、納豆パックの折り返し部分を素早くカットする事ができる。
【００１６】
小形軽量のため、手に持ち切断操作を素早く行うことが出来る。
【図面の簡単な説明】
【００１７】
【図１】本発明の納豆パックカッターの正面図
【図２】本発明の納豆パックカッターの側面図
【図３】本発明の納豆パックカッターの切断開始時の状態側面図（納豆パックの折り返し部分に、本考案のカッターを入れた切断開始時の状態を側面から見たものである。）
【図４】本発明の納豆パックカッターのA-A断面図
【図５】本発明の納豆パックカッターの切断開始時の使用説明立体図（全体図）
【図６】本発明の納豆パックカッターの切断開始時の使用説明立体図（詳細図）
【図７】本発明の納豆パックカッター本体が三角形の第二の実施例
【図８】本発明の納豆パックカッターが固定タイプの第三の実施例
【図９】本発明の納豆パックカッターの本体の各種形状
【図１０】本発明の納豆パックカッターの溝部の形状  （略Ｕ字状の場合と略V字状の場合）
【図１１】本発明の納豆パックカッターの刃部の各種形状
【図１２】本発明の納豆パックカッターの第三の実施例の長さ１５０ｍｍの説明図
【発明を実施するための形態】
【００１８】
以下、本発明の実施の形態を図１〜１２に基づいて説明する。
カッター本体１は、プラスチックあるいは木などの素材で構成され、側面にはカッターの案内溝２が設けられている。
カッターの刃３は壁紙などの切断に使うカッターの刃などを使用し図２および図４に示すように設けられている。  
カッターの刃の材質は、金属、セラミックあるいはプラスチックである。
マグネット４は、本体の外面部に設けられている。
本発明は、上記カッター本体１、カッターの刃３およびマグネット４は、接着剤や、はめ込み等により貼り合わせた構造になっている。
【実施例１】
【００１９】
図１〜６に示すように、本発明の第一の実施形態のカッターは、カッター本体１、カッターの刃３およびマグネット４とからなる。
なお、実施例ではマグネット４は、シート状のものを使用している。
【００２０】
カッター本体１の外形寸法は、スライド側の辺の長さが３０ｍｍ〜１００ｍｍ、縦幅が１５ｍｍ〜７０ｍｍ、厚さが１０ｍｍ〜３０ｍｍであり、厚さが半分の板２枚を貼り合わせ、間にカッターの刃３を挟んだ構造となっている。
形が小さいので、持ちやすい。
【００２１】
カッター本体１のスライド側となる上辺に、幅約４ｍｍ〜１０ｍｍ、深さ約３ｍｍ〜６．９ｍｍのU字形のカッターの案内溝２が一方の端から他端まで設けられている。
【００２２】
カッターの案内溝２の深さが３ｍｍ〜６．９mmのため、納豆パックの折り返し部分５と納豆パックの首部９との距離７ｍｍより小さいため、納豆パックの案内溝２の外周先端部が納豆パックの首部９に当たらない。
そのため、納豆パックの首部９に当たらず、納豆パックカッターを滑らかにスライドさせることが出来る。
【００２３】
カッター本体１の上辺中央部でカッターの案内溝２の横断面に垂直に案内溝底部１０中央底部（刃の先端部が上辺から２ｍｍ〜５ｍｍ下）にカッターの刃３が設けられている。
カッターの刃３は、壁紙などを切る時に使うカッターの刃２枚で、刃面を外向きに山形に組み合わせたものである。
カッターの刃３の先端は、カッターの案内溝２の底部にあるため、指を切る危険性が少なく安全である。
左右どちらからでも切ることが出来るので、方向を気にせず、納豆パックの折り返し部分５を切断することが出来る。
【００２４】
マグネット４はシート状に形成され、カッター本体１の外面部（表または裏面、または両面）に設けられている。
本発明のカッターを冷蔵庫にマグネット４で貼り付けておけば、納豆パックを冷蔵庫から出した時その場で、使用が可能となる。
また、両面にマグネット４を設けた場合は、表裏どちらからでも冷蔵庫に貼り付けることが出来、カッターの表裏を判断する煩わしさがない。
【００２５】
中心から外側に向かって、カッターの刃３、カッター本体１そして、マグネット４の順に貼り合わせて、納豆パックカッターが出来上がる。
【００２６】
本考案のカッターの使用方法は、図５に示すように、納豆パックの折り返し部分５の端部をカッターの案内溝２の案内溝底部１０に入れ、案内溝底部１０に押し当てながら他端までスライドさせる事により、納豆パックの折り返し部分５は、納豆パック本体６から切り離される。
【００２７】
納豆パックの折り返し部分５が切り離されているため、納豆パックの蓋８は、納豆パックの溶着部７だけで納豆パック本体６と繋がっている状態となる。
【００２８】
そこで、切り離された納豆パックの折り返し部分５の納豆パックの蓋８を納豆パック本体６から持ち上げることにより、納豆パックの蓋８と納豆パック本体６と繋がっている納豆パックの溶着部７が簡単に剥がれ、納豆パックの蓋８を取り外せる。
【００２９】
このことにより、課題であった納豆パック本体６および納豆パックの蓋８の破れを防止する事が出来る。
また、納豆パックの蓋８を開けた後、新たに切り離す煩わしさも解消する。
【実施例２】
【００３０】
図７に示すように、本発明の第二の実施形態のカッターは、略三角形のカッター本体１、円形刃のカッターの刃３およびマグネット４とからなる。
【００３１】
カッター本体１の正面形状は、一辺が約３０ｍｍ〜１００ｍｍの略三角形で厚さが１０ｍｍ〜３０ｍｍである。厚さが半分の板２枚を張り合わせ、間にカッターの刃を挟んだ構造となっている。
【００３２】
カッター本体１の左辺に、幅４〜１０mm、深さ３〜６．９mmの略U字形の案内溝２が一方の端から他端まで設けられている。
そして、カッター本体１の右辺に上部の幅４〜１０mm底部の幅１〜３mm、深さ３〜６．９mmの略V字形のカッターの案内溝２が一方の端から他端まで設けられている。
【００３３】
この三角形のカッターは、納豆パックの折り返し部分５が略コの字形で厚みのある場合、左辺の略U字形の溝を使う。
また、納豆パックの折り返し部分５が二つ折りで厚みが薄い場合は、右辺の略V字形の溝を使う。
【００３４】
上記の略U字形のカッターの案内溝２と略V字形のカッターの案内溝２を持つことで、納豆パックの折り返し部分５の厚さの違いにも対応している。
【００３５】
カッター本体１の正面中央部に円形刃カッターの刃３がカッター本体１の２枚の板に挟み込まれている。
カッターの刃３は、紙などを切る時に使う円形のカッターの刃で直径が１０〜５０mmのものである。
カッターの刃３の刃先は、カッターの案内溝２の外周から２〜５mm低い位置にあるため、指を切る危険性が少なく安全である。
【００３６】
マグネット４は、本体の外面部（表裏）にマグネットシートを外面部の形状に合わせて作ったものである。
【００３７】
中心から外側に向かって、カッターの刃３、カッター本体１そして、マグネット４の順に貼り合わせて、納豆パックカッターが出来上がる。
以上の事により、この三角形のカッターは第一の実施例同様に前述の課題を解決している。なお実施例２では円形カッターで説明しているが、代わりに片刃、山形の両刃を使用する事も出来る。
【実施例３】
【００３８】
図８に示すように、本発明の第三の実施形態のカッターは、スライド面と反対側の
面にマグネット４が貼られている事が特徴であり、それ以外は実施例１と同じ構造となっている。
【００３９】
この第三の実施形態のカッターは、スライド面と反対側の面にマグネット４が貼られており、冷蔵庫の表面の塗装鋼板部に貼り付けて固定したおいた状態で使用するものである。なお実施例３ではマグネット４で説明しているが、マグネットの代わりに両面接着テープを使用すれば磁石のつかない非鋼板部分にも固定する事が出来る。
【００４０】
また、この場合は冷蔵庫に固定して使用するため、全体が手のひらに収まる大きさにする必要がないので全体の長さの上限を（１００ｍｍを超えて）１００〜１５０ｍｍとし、貼り付け面積を増やしても良い。さらに高さ方向（スライド面に直角方向）を１０ｍｍ〜２０ｍｍと低くする事により全体がぐらつきにくくなるので、安定した状態で使用する事が出来る。（図１２参照）
【００４１】
この固定タイプの納豆パックカッターは、冷蔵庫に貼り付けた状態で使用されるので、片手で納豆パックを持って、納豆パックの折り返し部分５を冷蔵庫に固定された状態の納豆パックカッターのカッターの案内溝２に沿ってスライドすることにより、納豆パックの折り返し部分５を切り離すことが出来る。
この時一般的な納豆パックの天面部の大きさは、一辺が約１００ｍｍの正方形であり図１２に示すように持ち手の親指の位置を考慮すると、納豆パックカッターのスライド部の長さを１５０ｍｍとすれば、納豆パックは図の二点鎖線に示すように、傾かないでスムースに、折り返し部分５を切断することができる。
【００４２】
以上の事により、この第三の実施形態の固定タイプの納豆パックカッターは第一の実施例同様に前述の課題を解決している。
【００４３】
第一から第三までの実施形態に示すように、のカッター本体１の形状は、略長方形、略円形および略三角形を含む多角形がある。
カッター本体１とカッターの刃３が円形の場合、どの位置でもカットする事が出来、更に切れ味が悪くなった刃部を避けて別の切れ味の良い刃部を使用できる利点がある。
また、カッター本体１が三角形の場合、一辺ごとにU字形の溝およびV字形の溝を持つことが出来る利点がある。（図９参照）
【００４４】
カッターの案内溝２の形状は、略U字形および略V字形がある。
U字形は、納豆パックの折り返し部分５がコの字形で厚みのある場合、V字形は、納豆パックの折り返し部分５が二つ折で厚みが薄い場合に使用する。（図１０参照）
【００４５】
カッターの刃３の形状は、片刃、両刃および円形刃がある。
片刃は１方向からしか切れないが、両刃であれば両方向から切ることが出来る利点がある。
また、円形刃の場合、刃に方向性がないため、どの方向からも切れるため、応用する範囲が広い。（図１１参照）
【００４６】
マグネット４をカッターの外面に貼り付けてあると、納豆パックを冷蔵庫から取り出した時、冷蔵庫にこのカッターを貼り付けておけば、その場で納豆パックの折り返し部分５をカットすることが出来、便利である。
また、正面および背面の両方にマグネット４を貼り付けておけば、冷蔵庫にこのカッターを貼り付ける際どちらからでも貼りつくため、表裏を判断しなくても貼り付けられるため便利である。（図２参照）
【符号の説明】
【００４７】
１  ：カッター本体
２  ：カッターの案内溝
３  ：カッターの刃
4  ：マグネット
５  ：納豆パックの折り返し部分
６  ：納豆パック本体
７  ：納豆パックの溶着部
８  ：納豆パックの蓋
９  ：納豆パックの首部
１０：カッターの案内溝底部
【図１】
2018117863.tif 000003
【図２】
2018117863.tif 000004
【図３】
2018117863.tif 000005
【図４】
2018117863.tif 000006
【図５】
2018117863.tif 000007
【図６】
2018117863.tif 000008
【図７】
2018117863.tif 000009
【図８】
2018117863.tif 000010
【図９】
2018117863.tif 000011
【図１０】
2018117863.tif 000012
【図１１】
2018117863.tif 000013
【図１２】
2018117863.tif 000014